(57)【要約】【課題】簡単な構成により、壁面を星空のように光らせる演出を行うことができる。【解決手段】建物内に中二階空間２０を区画する壁構造は、中二階空間２０を区画する壁材であって、厚さ方向に貫通する複数の第１の貫通孔２３を有する第１の壁材２１と、第１の壁材２１と間隔をおいて対向配置されて中二階空間２０と隣り合う一階空間１０を区画する壁材であって、厚さ方向に貫通するとともに複数の前記第１の貫通孔２３の各々と同一軸線上に位置する複数の第２の貫通孔２４を有する第２の壁材２２とを有している。また、上記壁構造は、複数の第１の貫通孔２３の各々及び複数の第２の貫通孔２４の各々に挿通された導光棒２５を有している。【選択図】図３
2018204251.tif 000002
【特許請求の範囲】
【請求項１】
建物内に空間を区画する壁構造において、
当該空間を区画する壁材であって、厚さ方向に貫通する複数の第１の貫通孔を有する第１の壁材と、
前記第１の壁材と間隔をおいて対向配置され、厚さ方向に貫通するとともに複数の前記第１の貫通孔の各々と同一軸線上に位置する複数の第２の貫通孔を有する第２の壁材と、
複数の前記第１の貫通孔の各々及び複数の前記第２の貫通孔の各々に挿通された導光棒と、を有する、
建物の壁構造。
【請求項２】
前記導光棒の直径は、１〜１０ｍｍである、
請求項１に記載の建物の壁構造。
【請求項３】
厚さ方向に貫通する複数の貫通孔が設けられた壁本体と、
複数の前記貫通孔の各々に挿入された導光棒と、を有する、
建物用壁材。
【請求項４】
前記導光棒の直径は、１〜１０ｍｍである、
請求項３に記載の建物用壁材。
【発明の詳細な説明】
【技術分野】
【０００１】
本発明は、建物内に空間を区画する壁構造及び壁材に関する。
【背景技術】
【０００２】
従来、壁面を光らせる演出方法としては、投影装置を用いて壁面に映像を映し出す方法や、照明装置で壁に光を照射する方法が知られている。
また、特許文献１においては、透明な板版をなし、裏面に凹状のレリーフが形成されたレリーフ板と、レリーフ板の端面に接触して設けられた照明光源と、照明光源の外面を覆うとともに照明光源をレリーフ板に一体的に固定する枠部材とを備えた装飾用壁材が提案されている。
【先行技術文献】
【特許文献】
【０００３】
【特許文献１】特開２０１６−３７８０６号公報
【発明の概要】
【発明が解決しようとする課題】
【０００４】
ところが、上述したように壁面に映像を映し出す方法や、壁に光を照射する方法の場合には、投影装置や照明装置などの装置を当該部屋内に配置する必要があるため、スペースの限られた部屋に対して適用することが難しいという問題がある。
【０００５】
また、特許文献１に記載の技術の場合には、透明なレリーフ板や照明光源、枠部材といった構成が必要となるため、壁材自体の構成が複雑になるという問題がある。
本発明の目的は、簡単な構成により、壁面を星空のように光らせる演出を行うことのできる建物の壁構造及び建物用壁材を提供することである。
【課題を解決するための手段】
【０００６】
上記目的を達成するための建物の壁構造は、建物内に空間を区画するものであり、当該空間を区画する壁材であって、厚さ方向に貫通する複数の第１の貫通孔を有する第１の壁材と、前記第１の壁材と間隔をおいて対向配置され、厚さ方向に貫通するとともに複数の前記第１の貫通孔の各々と同一軸線上に位置する複数の第２の貫通孔を有する第２の壁材と、複数の前記第１の貫通孔の各々及び複数の前記第２の貫通孔の各々に挿通された導光棒と、を有する。
【０００７】
また、上記目的を達成するための建物用壁材は、厚さ方向に貫通する複数の貫通孔が設けられた壁本体と、複数の前記貫通孔の各々に挿入された複数の導光棒と、を有する。
同構成によれば、当該空間の外の光が複数の導光棒の一端から流入するとともに他端から当該空間内へ放射される。このため、当該空間を薄暗くしておけば、複数の導光棒における当該空間に臨む他端が光り輝くこととなる。
【発明の効果】
【０００８】
本発明によれば、簡単な構成により、壁面を星空のように光らせる演出を行うことができる。
【図面の簡単な説明】
【０００９】
【図１】建物の壁構造の第１実施形態について、当該壁構造が適用された中二階部屋と一階空間とを示す正面図。
【図２】図１の２−２線に沿った断面図。
【図３】図２のＡ部を拡大して示す断面図。
【図４】建築用壁材の第２実施形態について、壁材を示す斜視図。
【図５】変形例における壁材を示す斜視図。
【発明を実施するための形態】
【００１０】
＜第１実施形態＞
以下、図１〜図３を参照して、建物の壁構造を、一般住宅用建物の中二階空間を区画する壁構造として具体化した一実施形態について説明する。
【００１１】
図１及び図２に示すように、本実施形態の一般住宅用建物においては、一階床板１１、一階床板１１の上方に設けられた天井板１２、及び上下方向に沿って延在する側壁板１７，１８によって、一階空間１０が区画されている。
【００１２】
一階床板１１と天井板１２との間には中二階床板１３が設けられており、中二階床板１３、天井板１２、及び上下方向に沿って延在する側壁板１６によって、平面視四角形状の中二階空間２０が区画されている。なお、以降において、中二階空間２０を基準とした内側及び外側を単に内側及び外側と称することがある。
【００１３】
図２に示すように、中二階空間２０を取り囲むように複数の柱１４が間隔をおいて設けられている。また、柱１４同士の間には、間柱１５が設けられている。
側壁板１６は、複数の第１の壁材２１によって構成されている。各第１の壁材２１は、柱１４及び間柱１５の内側に位置しており、柱１４及び間柱１５に対して釘や木ねじ（図示略）を介して固定されている。
【００１４】
柱１４及び間柱１５の外側には、複数の第２の壁材２２が第１の壁材２１と間隔をおいて対向配置されている。各第２の壁材２２は、柱１４及び間柱１５に対して釘や木ねじ（図示略）を介して固定されている。各第２の壁材２２によって、一階空間１０を区画する側壁板１７が構成されている。
【００１５】
第１の壁材２１及び第２の壁材２２は、合板や、表面に化粧板あるいは壁紙の貼り付けられた石膏ボードなどの周知の材料によって形成されている。
側壁板１６，１７のうちの一つの面の下部には、中二階空間２０と一階空間１０とを連通する１つの出入口２６が設けられている。ここで、出入口２６の開口面積が側壁板１６，１７に対して十分に小さくされているため、中二階空間２０は薄暗い空間となっている。
【００１６】
一階床板１１と出入口２６との間には、梯子３０が掛け渡されている。
図３に拡大して示すように、第１の壁材２１には、厚さ方向に貫通するとともに円孔状をなす複数の第１の貫通孔２３が設けられている。また、第２の壁材２２には、厚さ方向に貫通するとともに円孔状をなす複数の第２の貫通孔２４が設けられている。複数の第１の貫通孔２３の各々と、複数の第２の貫通孔２４の各々とは同一軸線上に位置している。
【００１７】
なお、図３では、同図の右方の導光棒２５が各貫通孔２３，２４に組み付けられた状態を示す一方、同図の左方の導光棒２５については、組み付け途中の状態を示している。
互いに同一軸線上に位置する第１の貫通孔２３と第２の貫通孔２４とには、アクリル樹脂からなるとともに丸棒状をなす共通の導光棒２５が挿入されている。なお、各貫通孔２３，２４の内周面と導光棒２５の外周面との間に接着剤を設けるようにしてもよい。
【００１８】
導光棒２５の一端２５ａは、第２の壁材２２における一階空間１０を臨む面（同図の下面）と面一とされている。
導光棒２５の他端２５ｂは、第１の壁材２１における中二階空間２０を臨む面（同図の上面）と面一とされている。
【００１９】
導光棒２５の直径は各貫通孔２３，２４の内径よりも僅かに小さくされている。導光棒２５の直径としては、１〜１０ｍｍであることが好ましく、２〜５ｍｍであることが更に好ましい。本実施形態では、導光棒２５の直径が３ｍｍとされている。
【００２０】
図１に示すように、本実施形態では、中二階空間２０の内部から視たときの複数の貫通孔２３の配置が例えば北斗七星やオリオン座などの星座の配置とされている。
次に、本実施形態の作用について説明する。
【００２１】
一階空間１０の自然光や蛍光灯などの光が複数の導光棒２５の一端２５ａから流入するとともに他端２５ｂから中二階空間２０内へ放射される。中二階空間２０は薄暗い空間であることから、複数の導光棒２５における中二階空間２０に臨む他端２５ｂが星空のように光り輝くこととなる。
【００２２】
以上説明した本実施形態に係る建物の壁構造によれば、以下に示す効果が得られるようになる。
（１）中二階空間２０を区画する第１の壁材２１の第１の貫通孔２３と、一階空間１０を区画する第２の壁材２２の第２の貫通孔２４とには、導光棒２５が挿通されている。
【００２３】
こうした構成によれば、上記作用を奏することから、簡単な構成により、中二階空間２０の壁面を星空のように光らせる演出を行うことができる。
（２）中二階空間２０の内部から視たときの複数の貫通孔２３の配置が星座の配置とされているため、複数の導光棒２５の他端２５ｂが星空のように光り輝くこととなる。すなわち、中二階空間２０の壁面がプラネタリウムとして機能するようになる。したがって、中二階空間２０における癒しの効果を高めることができる。
【００２４】
（３）導光棒２５の直径が３ｍｍとされている。
導光棒２５の直径が１０ｍｍよりも大きいと、導光棒２５を通じて中二階空間２０内へ放射される光量が多くなることで、壁面を星空のように繊細に光らせることが難しくなる。その結果、壁面をプラネタリウムとして機能させる効果が発揮されにくくなる。
【００２５】
一方、導光棒２５の直径が１ｍｍよりも小さいと、導光棒２５を通じて中二階空間２０内へ放射される光量が少なくなることで、壁面を光り輝かせる効果が発揮されにくくなる。また、導光棒２５の剛性を確保することが難しくなり、貫通孔２３，２４に挿入する作業が難しくなる。
【００２６】
この点、上記構成によれば、導光棒２５の直径が３ｍｍとされているため、中二階空間２０の壁面を繊細且つ十分に光り輝かせる効果を発揮させることができるとともに、導光棒２５の挿入作業を容易に行うことができる。
【００２７】
＜第２実施形態＞
以下、図４を参照して、第２実施形態について説明する。
図４に示すように、本実施形態の壁材５０は、２つの空間を隔てる側壁板を構成するものであり、合板５２と、合板５２の両面に接着剤により貼り付けられた石膏ボード５３とを有し、厚さ方向に貫通する複数の貫通孔５４が設けられた壁本体５１を有している。石膏ボード５３の表面には必要に応じて化粧シートが接着されている。複数の貫通孔５４の配置態様は、第１実施形態にて例示した貫通孔２３，２４の配置態様と同様である。
【００２８】
複数の貫通孔５４の各々には、第１実施形態と同様な導光棒５５が挿入されている。導光棒５５の両端は、壁本体５１の両面とそれぞれ面一とされている。
以上説明した本実施形態に係る建物用壁材によれば、第１実施形態の効果（１）〜（３）と同様な効果が得られるようになる。
【００２９】
＜変形例＞
なお、上記実施形態は、例えば以下のように変更することもできる。
・図１に示すように、天井板１２を構成する壁材に対して本発明を適用することもできる。また、中二階床板１３を構成する壁材に対して本発明を適用することもできる。天井板１２を構成する壁材に対して本発明を適用する場合、自然光などからの採光が難しくなるため、天井裏のスペースに照明光源４０を設けることが好ましい。
【００３０】
・導光棒２５は棒状のものであれば丸棒状、すなわち円柱状のものに限定されず、図５に示すように、三角柱状の導光棒５５１や、四角柱状の導光棒５５２、六角柱状の導光棒５５３などであってもよい。またこれらの場合、導光棒５５１〜５５３の外周面と貫通孔５４１〜５４３の内周面との間の隙間が小さくなるように、貫通孔５４１〜５４３の形状を導光棒５５１〜５５３の形状に合わせることが好ましい。
【００３１】
・本発明に係る建物用壁材は、第２実施形態において例示した壁材５０に限定されない。例えば、合板５２に代えて、中密度繊維板（ＭＤＦ）や単板積層材（ＬＶＬ）などを採用することもできる。また、石膏ボード５３に代えて、例えばポリエステルなどの合成樹脂からなる化粧シートを採用することもできる。また、石膏ボード５３に代えて、合成樹脂からなる芯材プレートの両面に金属からなる面材シートが貼り付けられた複合板を採用することもできる。なお、芯材プレートの材質としては、ポリエチレンや発泡ポリエチレンなどが好ましい。また、面材シートの材質としては、アルミニウム、ステンレス鋼、チタン、ガルバリウム鋼などが好ましい。
【符号の説明】
【００３２】
１０…一階空間、１１…一階床板、１２…天井板、１３…中二階床板、１４…柱、１５…間柱、１６，１７，１８…側壁板、２０…中二階空間、２１…第１の壁材、２２…第２の壁材、２３，２４…貫通孔、２５…導光棒、２５ａ…一端、２５ｂ…他端、２６…出入口、３０…梯子、４０…照明光源、５０…壁材、５１…壁本体、５２…合板、５３…石膏ボード、５４，５４１，５４２，５４３…貫通孔、５５，５５１，５５２，５５３…導光棒。
【図１】
2018204251.tif 000003
【図２】
2018204251.tif 000004
【図３】
2018204251.tif 000005
【図４】
2018204251.tif 000006
【図５】
2018204251.tif 000007
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
建物内に空間を区画する壁構造において、
当該空間を区画する壁材であって、厚さ方向に貫通する複数の第１の貫通孔を有する第１の壁材と、
前記第１の壁材と間隔をおいて対向配置され、厚さ方向に貫通するとともに複数の前記第１の貫通孔の各々と同一軸線上に位置する複数の第２の貫通孔を有する第２の壁材と、
複数の前記第１の貫通孔の各々及び複数の前記第２の貫通孔の各々に挿通された導光棒と、を有し、
前記導光棒の直径は、１〜１０ｍｍであり、
前記導光棒の一端は前記第２の壁材の外部に臨む壁面と面一である一方、前記導光棒の他端は前記第１の壁材の外部に臨む壁面と面一である、
建物の壁構造。
【請求項２】
厚さ方向に貫通する複数の貫通孔が設けられた壁本体と、
複数の前記貫通孔の各々に挿入された導光棒と、を有し、
前記導光棒の直径は、１〜１０ｍｍであり、
前記導光棒の一端は前記壁本体の外部に臨む一方の壁面と面一である一方、前記導光棒の他端は前記壁本体の外部に臨む他方の壁面と面一である、
建物用壁材。